(57)【要約】【課題】専用のコントローラが不要で、安価に空気調和機のウィンタータイム時間対応ができるようにすること。【解決手段】ウィンタータイム判定手段１２がウィンタータイム設定ボタン１１の状態によりタイマー設定記憶部８内のタイマー設定を所定時間遅らせるものである。これによって、空気調和機２のウィンタータイム時間対応に、専用のコントローラが不要で、安価に空気調和システムを構成することができる。【選択図】図１
2008070076.tif 000002
【特許請求の範囲】
【請求項１】
通信手段とタイマー設定記憶部と内部時計と制御部とウィンタータイム設定ボタンとウィンタータイム判定手段とを備えた空気調和機と、タイマー設定ボタンを備えたリモコンと、タイマー設定機能を備えた集中制御機器を具備した空気調和システムであって、前記ウィンタータイム判定手段が前記ウィンタータイム設定ボタンの状態により前記タイマー設定記憶部内のタイマー設定を所定時間遅らせることを特徴とする空気調和システム。
【請求項２】
ウィンタータイム表示部は、空気調和機内に構成され、前記ウィンタータイム表示部がウィンタータイム設定中をユーザーに通知することを特徴とする、請求項１記載の空気調和システム。
【請求項３】
ウィンタータイム操作ボタンは、リモコン内に構成され、前記ウィンタータイム操作ボタンがウィンタータイム設定許可信号または禁止信号を空気調和機に通知することを特徴とする、請求項１記載の空気調和システム。
【請求項４】
ウィンタータイム操作機能は、集中制御機器内に構成され、前記ウィンタータイム操作機能がウィンタータイム設定許可信号または禁止信号を空気調和機に通知することを特徴とする、請求項１記載の空気調和システム。
【発明の詳細な説明】
【技術分野】
【０００１】
本発明は空気調和システムに関するものである。
【背景技術】
【０００２】
従来、この種の空気調和システムでは、例えば図５に記載された空気調和システムがあった（例えば、特許文献１参照）。
【０００３】
図５において、各種制御信号を送受信する通信部１０５と、内部時計１０６と、制御部１０７と、タイマー設定手段１０８を備えた空気調和機１０２と、ウィンタータイム設定機能１０４を備えた専用コントローラ１０３を具備した空気調和システム１０１であって、専用コントローラ１０３からウィンタータイム設定を通信部１０５が受信すると、内部時計１０６を１時間遅らせていた。
【特許文献１】特開２００２−１２２３４１号公報
【発明の開示】
【発明が解決しようとする課題】
【０００４】
しかしながら、前記従来の構成では、専用コントローラ１０３からウィンタータイム設定を行っていた。このためウィンタータイム時間に対応するためには、専用コントローラの設置が必要であり、高額な費用が発生してしまう課題を有していた。
【０００５】
本発明は、前記従来の課題を解決するもので、空気調和機内に構成されるウィンタータイム判定手段がウィンタータイム設定ボタンの状態によりタイマー設定記憶部内のタイマー設定を所定時間遅らせることで、専用のコントローラが不要で、安価に空気調和機のウィンタータイム時間対応ができる空気調和システムを提供することを目的とする。
【課題を解決するための手段】
【０００６】
前記従来の課題を解決するために、本発明の空気調和システムは、通信手段とタイマー設定記憶部と内部時計と制御部とウィンタータイム設定ボタンとウィンタータイム判定手段とを備えた空気調和機と、タイマー設定ボタンを備えたリモコンと、タイマー設定機能を備えた集中制御機器を具備した空気調和システムであって、前記ウィンタータイム判定手段が前記ウィンタータイム設定ボタンの状態により前記タイマー設定記憶部内のタイマー設定を所定時間遅らせるものである。
【０００７】
これによって、空気調和機のウィンタータイム時間対応に、専用のコントローラが不要で、安価に空気調和システムを構成することができる。
【発明の効果】
【０００８】
本発明の空気調和システムは、空気調和機のウィンタータイム時間対応に、専用のコントローラが不要で、安価に空気調和システムを構成することができる。
【発明を実施するための最良の形態】
【０００９】
第１の発明は、通信手段と、タイマー設定記憶部と、内部時計と、制御部と、ウィンタータイム設定ボタンと、ウィンタータイム判定手段とを備えた空気調和機と、タイマー設定ボタンを備えたリモコンと、タイマー設定機能を備えた集中制御機器を具備した空気調和システムであって、ウィンタータイム判定手段がウィンタータイム設定ボタンの状態によりタイマー設定記憶部内のタイマー設定を所定時間遅らせるもので、この構成をなすことにより、専用のコントローラが不要で、安価に空気調和機のウィンタータイム時間対応
ができる。
【００１０】
第２の発明は、空気調和機内にウィンタータイム表示部を設け、特に、第１の発明のウィンタータイム時間対応中をウィンタータイム表示部にてユーザーに通知するもので、この構成をなすことにより、専用のコントローラが設置されていない部屋においても、ユーザーがウィンタータイム時間対応中を容易に認識することができる。
【００１１】
第３の発明は、リモコン内にウィンタータイム操作ボタンを設け、特に、第１の発明のウィンタータイム判定手段によるウィンタータイム判定を、リモコンからの設定信号により行うもので、この構成をなすことにより、天井埋め込み型の空気調和機等のユーザーが容易に操作できない空気調和機においても、空気調和機のウィンタータイム時間対応にかかる設定作業性並びに安全性の向上を図ることができる。
【００１２】
第４の発明は、集中制御機器内にウィンタータイム操作機能を設け、特に、第１の発明のウィンタータイム判定手段によるウィンタータイム判定を、集中制御機器からの設定信号により行うもので、この構成をなすことにより、ビルや工場などの複数の空気調和機を設置している現場においても、空気調和機のウィンタータイム時間対応にかかる設定作業時間を低減することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和システム１のブロック図を示すものである。
【００１５】
図１において、空気調和システム１は、通信手段７とタイマー設定記憶部８と内部時計９と制御部１０とウィンタータイム設定ボタン１１とウィンタータイム判定手段１２とを備えた空気調和機２と、タイマー設定ボタン４を備えたリモコン３と、タイマー設定機能６を備えた集中制御機器５とから構成される。以上のように構成された空気調和機において、以下その動作、作用を説明する。
【００１６】
通信手段７は、リモコン３及び集中制御機器５と各種制御信号（運転ＯＮ、運転ＯＦＦ、タイマー設定等）を送受信する。
【００１７】
タイマー設定記憶部８は、通信手段７で受信したタイマー設定情報（９：００に運転ＯＮ、１７：００に運転ＯＦＦ等）を記憶する。
【００１８】
制御部１０は、内部時計９とタイマー設定記憶部８の時間情報を比較し空気調和機２を運転制御する。
【００１９】
ウィンタータイム設定ボタン１１は、ウィンタータイム情報（ウィンタータイム許可、ウィンタータイム禁止）を設定する。
【００２０】
ウィンタータイム判定手段１２は、タイマー設定記憶部８の時間情報を所定時間（１時間、２時間等）遅らせる。
【００２１】
以上のように構成された空気調和システム１は、ウィンタータイム判定手段１２がウィンタータイム設定ボタン１１の状態によりタイマー設定記憶部８内のタイマー設定を所定時間（１時間、２時間等）遅らせるものである。
【００２２】
したがって、空気調和機２のウィンタータイム時間対応に、専用のコントローラが不要で、安価に空気調和システムを構成することができる。
【００２３】
（実施の形態２）
図２は、本発明の実施の形態２における空気調和システム１のブロック図を示すものである。図２において、実施の形態１で説明した部分については同じ符号を用い説明を省略する。
【００２４】
ウィンタータイム表示部１３は、ウィンタータイム設定状態を表示（本体ＬＥＤ点灯等）する。
【００２５】
以上のように構成された空気調和システム１は、ウィンタータイム時間対応中をウィンタータイム表示部１３にてユーザーに通知するものである。
【００２６】
したがって、専用のコントローラが設置されていない部屋においても、ユーザーがウィンタータイム時間対応中を容易に認識することができる。
【００２７】
（実施の形態３）
図３は、本発明の実施の形態３における空気調和システム１のブロック図を示すものである。図３において、実施の形態１で説明した部分については同じ符号を用い説明を省略する。
【００２８】
ウィンタータイム操作ボタン１４は、リモコン３内に備えられ、ウィンタータイム情報（ウィンタータイム許可、ウィンタータイム禁止）を空気調和機２に送信する。
【００２９】
以上のように構成された空気調和システム１は、ウィンタータイム判定手段１２によるウィンタータイム判定を、リモコンからの設定信号により行うものである。
【００３０】
したがって、天井埋め込み型の空気調和機等のユーザーが容易に操作できない空気調和機においても、空気調和機のウィンタータイム時間対応を容易に行うことができ、設定にかかる作業性並びに安全性の向上を図ることができる。
【００３１】
（実施の形態４）
図４は、本発明の実施の形態４における空気調和システム１のブロック図を示すものである。図４において、実施の形態１で説明した部分については同じ符号を用い説明を省略する。
【００３２】
ウィンタータイム操作機能１５は、集中制御機器５内に備えられ、ウィンタータイム情報（ウィンタータイム許可、ウィンタータイム禁止）を空気調和機２に送信する。
【００３３】
以上のように構成された空気調和システム１は、ウィンタータイム判定手段１２によるウィンタータイム判定を、集中制御機器からの設定信号により行うものである。
【００３４】
したがって、ビルや工場などの複数の空気調和機を設置している現場においても、空気調和機のウィンタータイム時間対応を容易に行うことができ、設定にかかる作業時間を低減することができる。
【産業上の利用可能性】
【００３５】
以上のように、本発明の空気調和システムは、ウィンタータイム判定手段がウィンター
タイム設定ボタンの状態によりタイマー設定記憶部内のタイマー設定を所定時間遅らせることで、専用のコントローラが不要で、安価に空気調和機のウィンタータイム時間対応ができるので、給湯器等の設置型システム機器のウィンタータイム時間対応にも適用できる。
【図面の簡単な説明】
【００３６】
【図１】本発明の実施の形態１における空気調和機のブロック図
【図２】本発明の実施の形態２における空気調和機のブロック図
【図３】本発明の実施の形態３における空気調和機のブロック図
【図４】本発明の実施の形態４における空気調和機のブロック図
【図５】従来の空気調和システムのブロック図
【符号の説明】
【００３７】
１  空気調和システム
２  空気調和機
３  リモコン
４  タイマー設定ボタン
５  集中制御機器
６  タイマー設定機能
７  通信手段
８  タイマー設定記憶部
９  内部時計
１０  制御部
１１  ウィンタータイム設定ボタン
１２  ウィンタータイム判定手段
１３  ウィンタータイム表示部
１４  ウィンタータイム操作ボタン
１５  ウィンタータイム操作機能
【図１】
2008070076.tif 000003
【図２】
2008070076.tif 000004
【図３】
2008070076.tif 000005
【図４】
2008070076.tif 000006
【図５】
2008070076.tif 000007